(57)【特許請求の範囲】
【請求項１】
受信データを拡散コードで逆拡散して相関出力の遅延プロファイルを求め、該求めた遅延プロファイルに基づきパスタイミングを検出するサーチャ部を備えるＣＤＭＡ受信装置において、
前記サーチャ部は、
スロット内Ｍシンボル分の各相関出力を非分割で加算して単一の加算結果を出力する第１の加算モードと、前記スロット内シンボルをＮ（Ｎ＜Ｍ）シンボル分づつに分割した各相関出力をそれぞれに加算して該分割数に相当する数の各加算結果を出力する第２の加算モードとを備える第１の加算部と、
前記第１の加算部の前記加算モードに応じた１または２以上の加算出力を電力に変換する電力変換部と、
前記電力変換部で変換された１または２以上の電力をスロット間に渡って所定回数分同相で累積加算する第２の加算部と、
前記第２の加算部の１または２以上の加算出力に基いて前記パスタイミングの検出を行うパス検出部と、
前記ＣＤＭＡ受信装置の通信状態に基づいて前記第１の加算部に第１又は第２の加算モードを実行させる制御部と、を備えることを特徴とするＣＤＭＡ受信装置。
【請求項２】
受信データを拡散コードで逆拡散して相関出力の遅延プロファイルを求め、該求めた遅延プロファイルに基づきパスタイミングを検出するサーチャ部を備えるＣＤＭＡ受信装置において、
前記サーチャ部は、
スロット内Ｍシンボル分の各相関出力を非分割で加算して単一の加算結果を出力する第１の加算モードと、前記スロット内シンボルをＮ（Ｎ＜Ｍ）シンボル分づつに分割した各相関出力をそれぞれに加算して該分割数に相当する数の各加算結果を出力する第２の加算モードとを備える第１の加算部と、
前記第１の加算部の前記加算モードに応じた１または２以上の加算出力を電力に変換する電力変換部と、
前記電力変換部で変換された１または２以上の電力をスロット間に渡って所定回数分同相で累積加算する第２の加算部と、
前記第２の加算モードにおける前記第２の加算部の各加算出力を加算する第３の加算部と、
前記第１の加算モードにおける前記第２の加算部の加算出力又は前記第２の加算モードにおける前記第３の加算部の加算出力に基いて前記パスタイミングの検出を行うパス検出部と、
前記ＣＤＭＡ受信装置の通信状態に基づいて前記第１の加算部に第１又は第２の加算モードを実行させる制御部と、を備えることを特徴とするＣＤＭＡ受信装置。
【請求項３】
個別チャネルの無線同期確立有／無を検出する同期検出部を備え、
前記制御部は、個別チャネルの無線同期が確立された場合は前記第１の加算モードで動作し、前記個別チャネルの無線同期が確立されなかった場合は前記第２の加算モードで動作することを特徴とする請求項１又は２記載のＣＤＭＡ受信装置。  
【請求項４】
個別チャネルの周波数偏差を検出する周波数偏差検出部と、
前記検出された周波数偏差が所定以上であることにより入力の受信データから前記検出された周波数偏差を除去する周波数偏差除去部とを備え、
前記制御部は、前記個別チャネルの無線同期が確立されたことにより、前記周波数偏差除去部による周波数偏差の除去を付勢することを特徴とする請求項３記載のＣＤＭＡ受信装置。    
【請求項５】
共通チャネルの周波数偏差を検出すると共に、該検出した周波数偏差と該偏差の有効／無効を表す情報とを出力する周波数偏差検出部を備え、
前記制御部は、共通チャネルの周波数偏差が有効である場合は前記第１の加算モードで動作し、前記周波数偏差が無効である場合は前記第２の加算モードで動作することを特徴とする請求項１又は２記載のＣＤＭＡ受信装置。    
【請求項６】
前記検出された共通チャネルの周波数偏差が所定以上であることにより入力の受信データから前記検出された周波数偏差を除去する周波数偏差除去部を備え、
前記制御部は、前記周波数偏差の情報が有効であることにより、前記周波数偏差除去部による周波数偏差の除去を付勢することを特徴とする請求項５記載のＣＤＭＡ受信装置。
【発明の詳細な説明】
【技術分野】
【０００１】
本発明はＣＤＭＡ受信装置に関する。特に、本発明は、受信データを拡散コードで逆拡散して相関出力の遅延プロファイルを求め、該求めた遅延プロファイルに基づき直接及び遅延到来波のパスタイミングを検出するサーチャ部を備えるＣＤＭＡ受信装置に用いると好適である。
【背景技術】
【０００２】
ＣＤＭＡ受信装置では、受信チップタイミングを送信側と正確に同期させる必要があるため、受信データを送信側と同じ拡散符号で逆拡散すると共に、その相関電力のピークを検出することで、精密なチップタイミングを捕捉している。
【０００３】
図８は従来技術を説明する図で、図８（ａ）にＣＤＭＡ基地局装置におけるベースバンドサーチャ部のブロック図を示す。サーチャ部は、相関検出部５１と、拡散コード生成部５２と、電力変換部５３と、プロファイル（Ｐrofile）平均化部５４と、パス検出部５５とから構成される。
【０００４】
入力の上り受信データには、パスと呼ばれる直接到来波と遅延到来波とが含まれており、サーチャ部では各到来波のパスタイミングを求める。即ち、ベースバンド周波数帯域の上り受信データと拡散コードとの相関を検出し、得られた相関値（Ｉ／Ｑ）データをスロット内で同相加算（Ｉデータ同士とＱデータ同士を加算）すると共に、各加算出力を２乗して電力（Ｉ２＋Ｑ２）に変換し、その出力を所定期間巡回積分することで平均化し、こうして遅延プロファイルデータを生成する。パス検出部５５では、この遅延プロファイルデータのソートを行い、受信レベルに応じて順位付けされた直接到来波と遅延到来波のパスタイミングを検出する。
【０００５】
図８（ｂ）に遅延プロファイルデータ生成処理のイメージを示す。従来は、スロット内の連続した複数（例えば４）パイロットシンボル分の相関検出信号Ｐ１〜Ｐ４をスロット内同相加算して後、該加算出力を電力に変換し、その出力を複数スロットに渡って平均化することにより遅延プロファイルデータのＳ／Ｎを改善していた。
【０００６】
しかし、移動端末が見通し内で高速移動した場合には、ドップラシフトにより受信パイロットの位相回転速度が速くなる。位相回転速度が速くなると、図８（ｃ）に示す如く、スロット内各シンボルのベクトルが互いに相殺する方向に働いてしまい、遅延プロファイルデータの精度が劣化する問題があった。
【０００７】
この点、従来は、検出したフェージング周期（フェージング周波数）の大きさに応じて、スロット内パイロットシンボルの同相加算数を変えるものが知られている（特許文献１）。ここでは、例えばフェージング周期が「中」の場合は、シンボル数Ｎ＝Ｎｓ（基準値）だけ同相加算し、フェージング周期が「短」の場合は、シンボル数Ｎ＝Ｎｓ−Ｎ１だけ同相加算し、そして、フェージング周期が「長」の場合は、シンボル数Ｎ＝Ｎｓ＋Ｎ２だけ同相加算している。
【特許文献１】特開２００２−２１７７８５
【特許文献２】特開２０００−２４４３６６
【特許文献３】特開２００３−８７１５３
【特許文献４】特開２００５−１１７９３
【発明の開示】
【発明が解決しようとする課題】
【０００８】
しかし、上記フェージング周波数に応じて単にスロット内シンボルの同相加算数を変える方式であると、各スロット内でパス検出に使われるパイロットシンボルと使われないパイロットシンボルとが発生してしまい、パイロットシンボルの有効活用とならない。また、受信開始直後（パスサーチ開始初期）等では、無線同期（チップ同期）が確立していないため、正しい周波数偏差量（フェージング周波数）を求められない。
【０００９】
本発明は上記従来技術の問題点に鑑みなされたもので、その目的は、パスサーチ開始初期や、ドップラシフト量が大きい場合等における、パスサーチ精度を改善したＣＤＭＡ受信装置を提供することにある。
【課題を解決するための手段】
【００１０】
本発明の第１の態様によるＣＤＭＡ受信装置は、受信データを拡散コードで逆拡散して相関出力の遅延プロファイルを求め、該求めた遅延プロファイルに基づきパスタイミングを検出するサーチャ部を備えるＣＤＭＡ受信装置において、前記サーチャ部は、スロット内Ｍシンボル分の各相関出力を非分割で加算して単一の加算結果を出力する第１の加算モードと、前記スロット内シンボルをＮ（Ｎ＜Ｍ）シンボル分づつに分割した各相関出力をそれぞれに加算して該分割数に相当する数の各加算結果を出力する第２の加算モードとを備える第１の加算部と、前記第１の加算部の前記加算モードに応じた１または２以上の加算出力を電力に変換する電力変換部と、前記電力変換部で変換された１または２以上の電力をスロット間に渡って所定回数分同相で累積加算する第２の加算部と、前記第２の加算部の１または２以上の加算出力に基いて前記パスタイミングの検出を行うパス検出部と、前記ＣＤＭＡ受信装置の通信状態に基づいて前記第１の加算部に第１又は第２の加算モードを実行させる制御部と、を備えるものである。従って、様々な無線通信状態に適正に対応できると共に、該通信状態が不安定なパスサーチ開始初期や、ドップラシフト量が大きい場合等においても、パス検出精度を改善することが可能となる。
【００１１】
本発明の第２の態様によるＣＤＭＡ受信装置は、受信データを拡散コードで逆拡散して相関出力の遅延プロファイルを求め、該求めた遅延プロファイルに基づきパスタイミングを検出するサーチャ部を備えるＣＤＭＡ受信装置において、前記サーチャ部は、スロット内Ｍシンボル分の各相関出力を非分割で加算して単一の加算結果を出力する第１の加算モードと、前記スロット内シンボルをＮ（Ｎ＜Ｍ）シンボル分づつに分割した各相関出力をそれぞれに加算して該分割数に相当する数の各加算結果を出力する第２の加算モードとを備える第１の加算部と、前記第１の加算部の前記加算モードに応じた１または２以上の加算出力を電力に変換する電力変換部と、前記電力変換部で変換された１または２以上の電力をスロット間に渡って所定回数分同相で累積加算する第２の加算部と、前記第２の加算モードにおける前記第２の加算部の各加算出力を加算する第３の加算部と、前記第１の加算モードにおける前記第２の加算部の加算出力又は前記第２の加算モードにおける前記第３の加算部の加算出力に基いて前記パスタイミングの検出を行うパス検出部と、前記ＣＤＭＡ受信装置の通信状態に基づいて前記第１の加算部に第１又は第２の加算モードを実行させる制御部と、を備えるものである。従って、ドップラシフト量の大きさに応じて最適の加算モードを選択できる。
【００１２】
本発明の第３の態様では、個別チャネルの無線同期確立有／無を検出する同期検出部を備え、前記制御部は、個別チャネルの無線同期が確立された場合は前記第１の加算モードで動作し、前記個別チャネルの無線同期が確立されなかった場合は前記第２の加算モードで動作する。
【００１３】
本発明の第４の態様では、個別チャネルの周波数偏差を検出する周波数偏差検出部と、前記検出された周波数偏差が所定以上であることにより入力の受信データから前記検出された周波数偏差を除去する周波数偏差除去部とを備え、前記制御部は、前記個別チャネルの無線同期が確立されたことにより、前記周波数偏差除去部による周波数偏差の除去を付勢する。
【００１４】
本発明の第５の態様では、共通チャネルの周波数偏差を検出すると共に、該検出した周波数偏差と該偏差の有効／無効を表す情報とを出力する周波数偏差検出部を備え、前記制御部は、共通チャネルの周波数偏差が有効である場合は前記第１の加算モードで動作し、前記周波数偏差が無効である場合は前記第２の加算モードで動作する。従って、個別チャネルパスサーチ開始初期の無線同期確立前であっても、共通チャネルの通信状態（周波数偏差）を利用して適正なパス検出を行える。
【００１５】
本発明の第６の態様では、前記検出された共通チャネルの周波数偏差が所定以上であることにより入力の受信データから前記検出された周波数偏差を除去する周波数偏差除去部を備え、前記制御部は、前記周波数偏差の情報が有効であることにより、前記周波数偏差除去部による周波数偏差の除去を付勢する。
【発明の効果】
【００１６】
以上述べた如く本発明によれば、ドップラシフト量が大きい場合等における、パスサーチ精度を改善したＣＤＭＡ受信装置を提供することができる。
【発明を実施するための最良の形態】
【００１７】
以下、添付図面に従って本発明に好適なる実施の形態を詳細に説明する。なお、全図を通して同一符号は同一又は相当部分を示すものとする。図１は実施の形態によるＣＤＭＡ受信装置のブロック図で、図において、１はアンテナ、２はＲＦ受信部、３はＡ／Ｄ変換部、２０はサーチャ部、２１は周波数偏差除去部、２２は拡散コード発生部、２３は相関検出部、２４はセレクタ（ＳＥＬ）、２５ａ，２５ｂは電力変換部、２６ａ，２６ｂはプロファイル平均化部、２７は加算器、２８はセレクタ（ＳＥＬ）、２９はパス検出部、３１は閾値判定部、３２は制御部、３３は個別チャネルの周波数偏差検出部、３４は共通チャネルの周波数偏差検出部、３５は個別チャネルの無線同期検出部、４はＲＡＫＥ受信部である。
【００１８】
従来方式からの主な変更点は、相関検出部２３、電力変換部２５、プロファイル平均化処理部２６であり、新たに追加された構成は、個別チャネルの周波数偏差検出部３３、周波数偏差の閾値判定部３１、周波数偏差除去部２１、及び上記各部の構成をパイロットシンボル相関値のスロット内分割／非分割加算モードで制御する制御部３２である。 
【００１９】
アンテナ１からの受信電波をＲＦ受信部２で増幅及びＩ／Ｑベースバンド信号に復調し、Ａ／Ｄ変換器３で受信Ｉ／Ｑデータに変換する。サーチャ部２０において、受信データは周波数偏差除去部２１に入力され、個別ＣＨ又は共通ＣＨの周波数偏差検出部３３／３４から閾値判定部３１を介して通知される周波数偏差情報に従って位相回転処理を行い、周波数偏差を除去する。相関検出部２３では受信データと拡散符号と間の相関値を求め、得られた相関値は、制御部３２からの動作モードの指示に従って、スロット内分割／非分割加算処理を行う。
【００２０】
図２は実施の形態による相関検出部のブロック図で、最大４シンボル分のパイロット信号Ｐ１〜Ｐ４を並列処理可能な場合を示している。なお、実際上は回路規模削減のため各パイロット信号を時分割処理する構成にしても良い。各相関検出部１０ａ〜１０ｄは受信Ｉ／Ｑデータの相関演算を行うための相関演算部１１ａ，１１ｂを備える。この相関演算部１１ａ，１１ｂは、複数段のＦＦからなるシフトレジスタを有し、ベースバンド周波数帯域の受信Ｉ／Ｑデータが順次入力する。一方、拡散コ−ドについては予め拡散コード発生部２２から複数段のＦＦからなるシフトレジスタに入力されたものが、ラッチイネーブル信号ＬＥにより複数のラッチ回路（ＬＴ）にセットされている。この状態で、入力より直接及び遅延到来波を含む受信データが入力すると、加算器１２ａ，１２ｂより相関ピークが得られる。
【００２１】
加算部１３は、制御部３２からの動作モードに従い、スロット内分割／非分割の加算動作を行う。分割モードの場合は端子ａに（Ｐ１＋Ｐ２）の加算結果（ＩデータとＱデータは別々）を出力し、かつ端子ｂに（Ｐ３＋Ｐ４）の加算結果を出力する。非分割モードの場合は、端子ｃに（Ｐ１＋Ｐ２＋Ｐ３＋Ｐ４）の加算結果を出力する。尚、ここで、Ｐ１〜Ｐ４は１つのスロット内で送信されるパイロット信号とし、Ｐ１、Ｐ２、Ｐ３、Ｐ４の順で送信されるものとする。
【００２２】
セレクタ２４は、制御部３２からの動作モードに従い、相関検出部２３の加算出力を選択する。即ち、分割モードの場合は入力端子ａの加算データ（Ｐ１＋Ｐ２）を端子ｅに出力し、かつ入力端子ｂの加算データ（Ｐ３＋Ｐ４）を端子ｆに出力する。また、非分割モードの場合は入力端子ｃの加算データ（Ｐ１＋Ｐ２＋Ｐ３＋Ｐ４）を端子ｅに出力する。
【００２３】
電力変換部２５ａ，２５ｂでは、相関データＩ／Ｑ成分に基き電力データに変換する。例えば、相関データＩ／Ｑ成分の２乗和（Ｉ２＋Ｑ２）を算出する。後段のプロファイル平均化部２６ａ，２６ｂでは電力変換後のデータを所定時間巡回加算を行うことで遅延プロファイルデータを生成する。分割モードの場合は、電力変換部２５ａ，２５ｂ〜プロファイル平均化部２６ａ，２６ｂまで加算データ（Ｐ１＋Ｐ２）と（Ｐ３＋Ｐ４）とについての処理を並列に行う。非分割モードの場合は、電力変換部２５ａとプロファイル平均化部２６ａのみが加算データ（Ｐ１＋Ｐ２＋Ｐ３＋Ｐ４）についての処理を行う。
【００２４】
セレクタ２８は制御部３２からの動作モードに従って入力端子ａ，ｂの遅延プロファイルデータを選択する。即ち、非分割モードの場合は入力端子ａの遅延プロファイルデータ（Ｐ１＋Ｐ２＋Ｐ３＋Ｐ４）を選択して端子ｅに出力する。分割モードの場合は加算器２７の出力の遅延プロファイルデータ（Ｐ１＋Ｐ２）＋（Ｐ３＋Ｐ４）を選択して端子ｅに出力する。パス検出部２９では、入力の遅延プロファイルデータのソートを行い、受信レベル順、又は最速パス順といった形で複数のパスタイミングを検出する。
【００２５】
図３，図４は実施の形態による加算処理を説明する図（１），（２）で、図３（ａ）に分割加算モード時の処理イメージを示す。加算対象のスロット内シンボルがＰ１〜Ｐ４であるとすると、分割モードではスロット内同相振幅加算を（Ｐ１＋Ｐ２）と（Ｐ３＋Ｐ４）とに分割して行う。これにより、各加算結果は図３（ｂ）に示す如く、合成ベクトルＰＳａとＰＳｂとに相当し、時間的により近いシンボルデータの組み合わせを用いることで、検出（追従）できる位相回転量が大きくなり、ドップラシフトが大きい無線環境下でも、各シンボルのベクトルが相殺されずに、パス検出精度が向上する。また、スロット内シンボルＰ１，Ｐ２のみならず、同スロット内シンボルＰ３，Ｐ４も使用することで、ドップラシフトが大きい無線環境を忠実に反映できる。更に、加算出力ＰＳａ、ＰＳｂをそれぞれ電力に変換すると共に、これらの変換電力をそれぞれ例えば２スロット分に渡って累積加算する。更に、これらの累積加算出力を加算することで遅延プロファイルデータＰＡ２が得られる。なお、Ｓ／Ｎの劣化は、プロファイル平均化回数を増やす方法で回避できる。
【００２６】
図３（ｃ）に非分割加算モード時の処理イメージを示す。非分割モードではスロット内同相振幅加算を（Ｐ１＋Ｐ２＋Ｐ３＋Ｐ４）により行う。更に、この加算出ＰＳを電力に変換すると共に、これらの変換電力を例えば４スロット分に渡って累積加算する。ドップラシフトが小さい無線環境下では、ベクトル相殺の悪影響よりも、同相加算効果によるＳ／Ｎの向上が図れるため、Ｓ／Ｎが良くなる。
【００２７】
図４に分割／非分割モード時の一例の遅延プロファイルを示す。図には、同一の相関データについて、分割モードで求めた遅延プロファイルデータＰＡ２と、非分割モードで求めた遅延プロファイルデータＰＡ４とが示されている。遅延プロファイルデータＰＡ４ではＳ／Ｎが向上しており、遅延プロファイルデータＰＡ２ではドップラシフトが大きい無線環境下における振幅加算処理の追従性が向上している。
【００２８】
無線同期検出部３５は、個別ＣＨ（ＤＰＣＨ：Dedicated Phyisical Channel）についての無線同期確立状態有無を検出する。図５に無線同期検出処理の動作イメージを示す。同期確立の有無は、パスタイミングを調整し、ＲＡＫＥ合成された受信パイロット信号と
、無線同期検出部３５の内部で管理する基準パイロット信号とをシンボル単位で比較することにより、その一致個数を閾値を設けて判定する。一致の有無は、例えば図５（ｃ）に示す如く、受信パイロット信号のベクトルＰ１，Ｐ２等の振幅及び位相（タイミング）が基準パイロット信号のベクトルＰＲからの所定閾値範囲内にあるか否かで判定する。図５（ａ）の例では一致個数が閾値に満たないため非同期状態であると判定し、図５（ｂ）の例は一致個数が閾値を超えているため同期確立状態であると判定する。
【００２９】
個別ＣＨ周波数偏差検出部３３は、ＣＤＭＡ受信装置で一般的に使用されている公知の同期検波処理により、個別ＣＨの受信パイロットが受けた周波数偏差を求める。図６は実施の形態による周波数偏差除去処理のイメージ図で、１スロット内のパイロットシンボル数が４ビットの場合で説明する。図６（ａ）において、１シンボル目と２シンボル目のベクトルを合成した点Ｐと、３シンボル目と４シンボル目のベクトルを合成した点Ｐ'とを算出する。これらの点Ｐと点Ｐ'とから２シンボル当たりの位相回転角度θ’を算出し、更にこれを１/２することで１シンボル当たりの平均の位相回転角度θが求まる。個別チャネルの無線同期確立状態では、この方法で信頼性のある位相回転角度θを求めることができる。
【００３０】
なお、個別チャネルの受信開始直後では、該個別ＣＨの無線同期を確立していないため、本実施の形態では、別途にベースバンド部を制御するＭＰＵ部の経由で設定された共通チャネル（ＰＲＡＣＨ：PhysicalRandom Access Channel）の周波数偏差情報を利用する。この情報には、周波数偏差そのものの情報と共に、該偏差情報の有効／無効を表す周波数偏差有効／無効の情報が含まれる。なお、図１ではこの部分の構成を共通ＣＨ周波数偏差検出部３４で示している。
【００３１】
図１に戻り、閾値判定部３１は、制御部３１からの指示に従い、個別ＣＨ又は共通ＣＨの周波数偏差Δｆと所定閾値とを比較すると共に、周波数偏差Δｆが閾値を超える場合は周波数偏差の除去実施、超えない場合は除去不実施の指示を周波数偏差除去部２１に出力する。
【００３２】
周波数偏差除去部２１では、入力の受信Ｉ／Ｑデータに、周波数偏差検出部３３（又は３４）で検出された位相回転θを打ち消すような逆位相の回転−θを与え、周波数偏差の除去を行う。周波数偏差の除去は、図６（ｂ）に示す如く、入力のＩ／Ｑデータに対して、不図示のＲＯＭテーブルで用意した回転角−θに対応するｃｏｓ及びｓｉｎの各係数を乗算することで行える。この演算により小数点位置が変わるため、後段でビット抽出、および有効桁への丸め処理を行う。なお、ＲＯＭテーブルはｃｏｓ／ｓｉｎのそれぞれにつき２π分を持たずとも、位相回転の象限情報を併用することで、ＲＯＭテーブルサイズをπ／４相当にまで小さくできる。
【００３３】
係る構成により、制御部３２は、無線同期検出部３５からの無線同期情報と、上位から通知される共通ＣＨ(ＰＲＡＣＨ)の周波数偏差有効／無効の情報と、個別チャネルの受信ＯＮ／ＯＦＦの情報とに基づいて、パイロットシンボルの振幅加算をスロット内分割で行うか、またはスロット内非分割で行うかの動作モードを決定する。
【００３４】
図７は実施の形態による動作モード判定処理のフローチャートで、その基本的な流れは、個別ＣＨの無線同期が確立している場合や、共通ＣＨの周波数偏差を正しく判定できる場合には非分割加算モードとし、無線同期が確立していない場合や、周波数偏差を判定できない場合は分割加算モードとするものである。個別ＣＨが受信ＯＮ状態になると、この処理に入力する。
【００３５】
ステップＳ１１では個別ＣＨの無線同期が確立されているか否かを判別し、確立されて
いる場合は個別ＣＨ周波数偏差検出部３３から得られる周波数偏差情報が信頼できると考えられるので、ステップＳ１２に進み、個別ＣＨの周波数偏差Δｆに基づく周波数偏差除去を行う。また、無線同期確立状態でない場合は、更にステップＳ１３で共通ＣＨの周波数偏差有効か否かを判別する。周波数偏差が有効の場合はステップＳ１４で共通ＣＨの周波数偏差Δｆに基づく周波数偏差除去を行う。そして、ステップＳ１５ではスロット内非分割モードによる加算処理を行い、Ｓ／Ｎの向上を図る。
【００３６】
一方、上記ステップＳ１３の判別で共通ＣＨの周波数偏差が有効で無い場合はステップＳ１６に進み、広い周波数偏差に対応可能なスロット内分割モードの加算処理を行う。ステップＳ１７では電力の遅延プロファイルデータを生成し、ステップＳ１８では複数のパスタイミングを生成する。ステップＳ２１は個別ＣＨの受信ＯＦＦか否かを判別し、受信ＯＦＦでない場合はステップＳ１１に戻る。また、受信ＯＦＦの場合はこの処理を抜ける。
【００３７】
なお、上記実施の形態では一例の数値例を伴って分割／非分割モードの加算処理を述べたがこれに限らない。分割／非分割モードのパイロットシンボル数は任意で良い。また、無線同期確立有無の検査方法や、周波数偏差の検出及び除去方法についても上記実施の形態で述べたものに限定されない。
また、上述実施形態によれば、端末の高速移動によるドップラシフト時でも、スロット内シンボルの分割処理によりパス検出精度の劣化を改善できる。また、スロット内シンボルの相関出力を非分割でも、又はｎシンボルづつ分割しても適正に処理することが可能となるため、ドップラシフト量が大きい場合でも加算対象のシンボル相関値をｎシンボルづつ漏れなく使用でき、従って、様々な無線通信状態を忠実に反映できると共に、該通信状態が不安定なパスサーチ開始初期や、ドップラシフト量が大きい場合等においても、パス検出精度を改善することが可能となる。
【００３８】
好ましくは、このＣＤＭＡ受信装置は、受信データを拡散コードで逆拡散して相関出力の遅延プロファイルを求め、該求めた遅延プロファイルに基づき直接及び遅延到来波のパスタイミングを検出するサーチャ部を備えるＣＤＭＡ受信装置において、前記サーチャ部は、スロット内における各複数シンボル分の相関出力を加算する複数の第１の加算部と、前記複数の第１の加算部の加算出力をそれぞれ電力に変換する複数の電力変換部と、前記変換された電力をスロット間に渡って所定回数分累積加算する複数の第２の加算部と、前記複数の第２の加算部の各加算出力を加算する第３の加算部と、前記第１乃至第３の加算部の加算モードを制御する制御部とを備える。
【００３９】
また好ましくは、前記第１の加算部がスロット内シンボルの相関出力を非分割で加算し、かつ前記第２の加算部がその変換電力をその加算シンボル数に対応する回数だけ累積加算する第１の加算モードと、前記第１の加算部がスロット内シンボルの相関出力をｎシンボル毎に分割して加算すると共に、前記第２の加算部がその変換電力をそれぞれの加算シンボル数に対応する回数だけ累積加算し、かつ前記第３の加算部が前記第２の加算部の加算出力を加算する第２の加算モードとを備え、前記制御部は、前記ＣＤＭＡ受信装置の通信状態に基づいて前記第１又は第２の加算モードを実行する。従って、ドップラシフト量の大きさに応じて最適の加算モードを選択できる。
【００４０】
また、上記本発明に好適なる実施の形態を述べたが、本発明思想を逸脱しない範囲内で各部の構成、制御、処理及びこれらの組合せの様々な変更が行えることは言うまでも無い。
【図面の簡単な説明】
【００４１】
【図１】実施の形態によるＣＤＭＡ受信装置のブロック図である。
【図２】実施の形態による相関検出部のブロック図である。
【図３】実施の形態による加算処理を説明する図（１）である。
【図４】実施の形態による加算処理を説明する図（２）である。
【図５】実施の形態による無線同期検出処理のイメージ図である。
【図６】実施の形態による周波数偏差の検出動作を示すイメージ図である。
【図７】実施の形態による動作モード判定処理のフローチャートである。
【図８】従来技術を説明する図である。
【符号の説明】
【００４２】
２０  サーチャ部
２１  周波数偏差除去部
２２  拡散コード発生部
２３  相関検出部
２４，２８  セレクタ（ＳＥＬ）
２５  電力変換部
２６  プロファイル平均化部
２９  パス検出部
３１  閾値判定部
３２  制御部
３３  個別ＣＨ周波数偏差検出部
３４  共通ＣＨ周波数偏差検出部
３５  無線同期検出部
【図１】
0004967870.tif 000002
【図２】
0004967870.tif 000003
【図３】
0004967870.tif 000004
【図４】
0004967870.tif 000005
【図５】
0004967870.tif 000006
【図６】
0004967870.tif 000007
【図７】
0004967870.tif 000008
【図８】
0004967870.tif 000009